(57)【要約】【課題】基板ボックスを取り外すときに、先に電気配線の接続を解除することを作業者に気付き易くさせ、電気配線や電気配線に関わるものを破損し難くする遊技機を提供する。【解決手段】表示サブ制御基板１０１を収納した基板ボックス１００がベース部材２００に着脱可能に取り付けられ、表示サブ制御基板１０１とベース部材２００側に備えられた基板とを着脱可能なコネクタＳ１，１０２を介して接続する電気配線Ｓを有する。また、ベース部材２００に対する基板ボックス１００の取外しを許容する許容状態と取外しを規制する規制状態とに状態変化する規制部材３００を備える。そして、規制部材３００は、状態変化を行うときに動かして規制状態としたときにはコネクタ１０２へのアクセス経路を遮断することでコネクタ１０２の着脱を困難にし、許容状態としたときにはコネクタ１０２へのアクセス経路を開放することでコネクタ１０２の着脱を容易にした。【選択図】図１０
2015062653.tif 000002
【特許請求の範囲】
【請求項１】
遊技を制御する制御基板を収納する基板ボックスと、
前記基板ボックスを着脱可能に取り付けるためのベース部材と、
前記制御基板と前記ベース部材側に備えられた基板とを着脱可能なコネクタを介して接続する電気配線と、
前記ベース部材に対する前記基板ボックスの取外しを許容する許容状態と取外しを規制する規制状態とに状態変化するロック手段とを備え、
前記ロック手段には、許容状態と規制状態との状態変化を行うときに作業者が動かす操作片を備えており、
前記操作片は、前記ロック手段を規制状態としたときには前記コネクタへのアクセス経路を遮断することで作業者による前記コネクタの着脱を困難にし、前記ロック手段を許容状態としたときには前記コネクタへのアクセス経路を開放することで作業者による前記コネクタの着脱を容易にするように構成したことを特徴とする遊技機。
【発明の詳細な説明】
【技術分野】
【０００１】
本発明は、遊技機に関し、特に、基板ボックスがベース部材から取外し可能とされた遊技機に関するものである。
【背景技術】
【０００２】
従来、パチンコ遊技機等の遊技機には、メイン制御基板やサブ制御基板等の制御基板を収納した基板ボックス（基板ケースとも言う）を備えており、この基板ボックスが遊技機本体から取外し可能となっているものがある（例えば、特許文献１参照。）。
【先行技術文献】
【特許文献】
【０００３】
【特許文献１】特開２００７−２２９２４２号公報
【発明の概要】
【発明が解決しようとする課題】
【０００４】
ここで、基板ボックスに収納された制御基板は、外部の他の制御基板や電気部品等と電気配線で電気的に繋がっていることが多く、遊技機本体に基板ボックスを取り付けた状態においては、制御基板に一端が接続された電気配線が基板ボックスの外部に延出しており、当該電気配線の他端が外部の他の制御基板や電気部品等に接続されている状態となる。このような状態において、遊技機本体から基板ボックスを取り外すときには、電気配線の一端と他端のうちの少なくとも一方を抜いておかないと、繋がった電気配線によって当該電気配線や制御基板等を破損させてしまう虞があるが、電気配線が接続されていることに作業者が気付き難いという問題が生じていた。
【０００５】
本発明は、このような事情に鑑みてなされたものであり、基板ボックスを取り外すときに、当該基板ボックスに電気配線が接続されていることを作業者に気付き易くさせることができる遊技機を提供することを目的とする。
【課題を解決するための手段】
【０００６】
かかる課題を解決するために、本発明の請求項１に記載の発明は、制御基板を収納する基板ボックスと、基板ボックスを着脱可能に取り付けるためのベース部材と、制御基板とベース部材側に備えられた基板とを着脱可能なコネクタを介して接続する電気配線と、ベース部材に対する基板ボックスの取外しを許容する許容状態と取外しを規制する規制状態とに状態変化するロック手段とを備え、ロック手段には、許容状態と規制状態との状態変化を行うときに作業者が動かす操作片を備えており、操作片は、ロック手段を規制状態としたときにはコネクタへのアクセス経路を遮断することで作業者によるコネクタの着脱を困難にし、ロック手段を許容状態としたときにはコネクタへのアクセス経路を開放することで作業者によるコネクタの着脱を容易にするように構成した遊技機としたことを特徴とする。
【０００７】
請求項１に係る発明によれば、基板ボックスを取り外すために、ロック手段が規制状態から許容状態となるように操作片を動かすことで、コネクタへのアクセス経路を操作片によって遮断された状態から開放することができ、これにより作業者によるコネクタの着脱を容易にするようになっているため、作業者が操作片を動かすために目線が向いている箇所でアクセス経路が開放されることとなり、作業者にコネクタを抜くことを気付き易くさせることができる。
【図面の簡単な説明】
【０００８】
【図１】本発明の第一の実施の形態におけるパチンコ遊技機の正面図
【図２】同パチンコ遊技機の遊技盤の正面図
【図３】同パチンコ遊技機の液晶表示ユニットの左後上側からの斜視図
【図４】同パチンコ遊技機の液晶表示ユニットの正面図
【図５】同パチンコ遊技機の液晶表示ユニットの裏面図
【図６】同パチンコ遊技機の液晶表示ユニットの上面図
【図７】同パチンコ遊技機の液晶表示ユニットの下面図
【図８】同パチンコ遊技機の液晶表示ユニットの左側面図
【図９】図５のＡ−Ａ断面図
【図１０】図５のＢ−Ｂ断面図
【図１１】同パチンコ遊技機の液晶表示ユニットの左後下側からの斜視図
【図１２】同液晶表示ユニットから規制部材を取り外した状態の左後下側からの斜視図
【図１３】同パチンコ遊技機の液晶表示ユニットから規制部材を取り外した状態の裏面図
【図１４】同パチンコ遊技機の液晶表示ユニットのベース部材の左後上側からの斜視図
【図１５】同パチンコ遊技機の液晶表示ユニットのベース部材の裏面図
【図１６】同パチンコ遊技機の液晶表示ユニットの基板ボックスの左後上側からの斜視図
【図１７】同パチンコ遊技機の液晶表示ユニットの基板ボックスの裏面図
【図１８】同パチンコ遊技機の液晶表示ユニットの規制部材の左後下側からの斜視図
【図１９】同パチンコ遊技機の液晶表示ユニットの規制部材の下面図
【図２０】同パチンコ遊技機の液晶表示ユニットの規制部材の裏面図
【図２１】同パチンコ遊技機の液晶表示ユニットの規制部材の右側面図
【図２２】同パチンコ遊技機の液晶表示ユニットの規制部材の左側面図
【図２３】同液晶表示ユニットから基板ボックスを取り外す途中状態の左側面図
【図２４】本発明の第二の実施の形態におけるパチンコ遊技機の裏ユニットに液晶表示ユニットを取り付けた状態の左後上側からの斜視図
【図２５】同パチンコ遊技機の裏ユニットに液晶表示ユニットを取り付けた状態の裏面図
【図２６】図２４のＣ部拡大図
【図２７】同パチンコ遊技機の液晶表示ユニットの左後上側からの斜視図
【図２８】同パチンコ遊技機の液晶表示ユニットの正面図
【図２９】同パチンコ遊技機の液晶表示ユニットの裏面図
【図３０】同パチンコ遊技機の液晶表示ユニットの上面図
【図３１】同パチンコ遊技機の裏ユニットの左後上側からの斜視図
【図３２】同パチンコ遊技機の裏ユニットの裏面図
【図３３】同液晶表示ユニットを取り外す際に規制部材を開放した左後上側からの斜視図
【図３４】同液晶表示ユニットを取り外す際に規制部材を開放した状態の裏面図
【図３５】図３３のＤ部拡大図
【図３６】同液晶表示ユニットを非固定位置に移動させた状態の左後上側からの斜視図
【図３７】同液晶表示ユニットを非固定位置に移動させた状態の裏面図
【発明を実施するための形態】
【０００９】
［第一の実施の形態］
以下、本発明の第一の実施の形態における遊技機として、パチンコ遊技機を例にして図１〜図２３を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１及び図２を用いて説明する。図１は、本実施の形態におけるパチンコ遊技機の正面図であり、図２は、同パチンコ遊技機の遊技盤の正面図である。
【００１１】
本実施の形態におけるパチンコ遊技機１は、図１に示すように、外枠２、前枠３、窓枠４及び当該窓枠４に覆われた遊技盤６（図２）などを備えている。また、パチンコ遊技機１の裏面には、液晶ディスプレイ型の表示装置２０（図２）等の表示制御を行う表示サブ制御基板１０１（図９）等のサブ制御基板、入賞時におけるパチンコ遊技機１の動作等を含むパチンコ遊技機１の主要な動作を制御する主制御基板、遊技球の払い出し動作を制御する払出制御基板、各基板等に電源を供給する電源制御基板等の各種制御基板が取り付けられている。また、例えば表示サブ制御基板１０１が透明な基板ボックス１００（図３）に収納された状態でベース部材２００（図３）に配置されているように、各種基板は透明な各種基板ボックスに収納された状態で遊技機本体側に取り付けられている。
【００１２】
具体的に、外枠２は、図１に示すように、パチンコホールの台島に設置されており、前後面が開口するように四角形状に形成されている。前枠３は、外枠２の前端面に左側辺部の垂直な軸を中心に回動可能に装着されている。また、図１に示すように、この前枠３には、窓枠４と、下皿ユニット５と、遊技盤６と、が取り付けられている。
【００１３】
窓枠４は前枠３の前面に装着されている。この窓枠４は前枠３と一体となって、前記した軸を中心に回動可能となっている。窓枠４の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、高音用のスピーカ１１がそれぞれ配設されている。また、窓枠４には複数の装飾ＬＥＤが配設されている。
【００１４】
下皿ユニット５は、図１に示すように、前枠３の下部であって窓枠４の下方に取り付けられている。この下皿ユニット５の中央部の左側には、上皿１０から溢れた遊技球が貯留される下皿１２が配設されている。また、下皿ユニット５の中央部の右側には、低音用のスピーカ１３が配設されている。また、下皿ユニット５の右部であって下皿１２の右方には、上皿１０に貯留された遊技球を後述する遊技領域６Ａに発射するための発射装置を遊技者が操作する操作ハンドル１４が配設されている。
【００１５】
遊技盤６は、図２に示すように、遊技球が転動する領域である遊技領域６Ａが形成される部材である。遊技盤６は、窓枠４の後方であって、正面視で前枠３の下部を除く略全面に渡って配置されている。なお、遊技盤６の遊技領域６Ａは、窓枠４の窓枠開口部７の後方に配置され、前方から透明板８を介して視認可能に構成されている。
【００１６】
この遊技盤６には、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘（図示省略）が打ち込まれており、発射通路６Ｄを通して遊技領域６Ａ内に放出された遊技球は、遊技釘に当りながら転動して遊技領域６Ａ内を流下し、最終的に後述する何れかの入賞口又は遊技領域６Ａの最下方に位置するアウト口６Ｅに入る転動遊技を行う。
【００１７】
遊技盤６における遊技領域６Ａのほぼ中央部には、図２に示すように、液晶ディスプレイ型の表示装置２０が設けられており、この表示装置２０を囲むように装飾枠２０Ｂが配設されている。また、表示装置２０は、大当り遊技状態を発生させるか否かの判定結果に基づき変動演出表示を行う広い面積の表示画面２０Ａを有している。
【００１８】
また、図３及び図４に示すように、表示装置２０の裏面には、ベース部材２００、これに取り付けられる基板ボックス１００等を備えており、これらが一体となって液晶表示ユニット２０Ｃを構成している。このうち、基板ボックス１００には、表示装置２０を制御する表示サブ制御基板１０１が収納されており、表示装置２０に対して各種演出に関する信号を送信するようになっている。なお、この液晶表示ユニット２０Ｃの詳細については、後述する。
【００１９】
また、図２に示すように、遊技領域６Ａ内において、装飾枠２０Ｂの下方には第一始動入賞口１５が配置されている。この第一始動入賞口１５は、遊技球が入賞することによって、遊技者に有利な大当り遊技状態を発生させるか否かの判定を行う起点となるものであり、上方に開口するポケット状に形成されている。
【００２０】
また、図２に示すように、第一始動入賞口１５の下方には、第二始動入賞口１６が配置されている。この第二始動入賞口１６は、開閉可能な一対の可動片１６Ａを備えており、可動片１６Ａが閉じているときには第二始動入賞口１６には遊技球が入賞しないようになっており、所定条件に基づいて可動片１６Ａが開放されると第二始動入賞口１６に遊技球が入賞可能となるものである。なお、第二始動入賞口１６は、可動片１６Ａが閉じているときには遊技球が入賞可能だが入賞し難くなっており、可動片１６Ａが開放されると遊技球が入賞し易くなるようになっていても良い。
【００２１】
また、図２に示すように、第一始動入賞口１５及び第二始動入賞口１６の右方には、第一大入賞口１７及び第二大入賞口１８が配置されている。このうち、第一大入賞口１７は、駆動装置により開閉する開閉蓋１７Ａを備えており、この開閉蓋１７Ａは、遊技状態が特定の大当り遊技状態になると可動し、その際には第一大入賞口１７が上方に向かってポケット状に幅広く開口し、多数の遊技球が同時かつ連続的に第一大入賞口１７に入賞可能となる。
【００２２】
また、図２に示すように、第二大入賞口１８は、別の駆動装置により開閉する開閉片１８Ａを備えており、この開閉片１８Ａは、遊技状態が所定の大当り遊技状態になると可動し、その際には第二大入賞口１８が上方に向かって開口し、遊技球が連続的に第二大入賞口１８に入賞可能となる。
【００２３】
また、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２４】
次に、本実施の形態における液晶表示ユニット２０Ｃについて、図３〜図２３を用いて説明する。図３〜図１１は、本実施の形態のパチンコ遊技機の液晶表示ユニットの左後上側からの斜視図，正面図，裏面図，上面図，下面図，左側面図，Ａ−Ａ断面図，Ｂ−Ｂ断面図，左後下側からの斜視図である。図１２，図１３は、本実施の形態のパチンコ遊技機の液晶表示ユニットから規制部材を取り外した状態の左後下側からの斜視図，裏面図である。図１４，図１５は、本実施の形態のパチンコ遊技機の液晶表示ユニットのベース部材の左後上側からの斜視図，裏面図である。図１６，図１７は、本実施の形態のパチンコ遊技機の液晶表示ユニットの基板ボックスの左後上側からの斜視図，裏面図である。図１８〜図２２は、本実施の形態のパチンコ遊技機の液晶表示ユニットの規制部材の左後下側からの斜視図，下面図，裏面図，右側面図，左側面図である。図２３は本実施の形態のパチンコ遊技機の液晶表示ユニットのベース部材から基板ボックスを取り外す途中状態の左側面図である。
【００２５】
本実施の形態における液晶表示ユニット２０Ｃは、図６及び図７に示すように、表示装置２０の裏面側にベース部材２００が配設されており、その裏側の一部（ここでは左側）に、表示装置の表示制御を行う表示サブ制御基板１０１（図９）を内部に収納した基板ボックス１００が取り付けられており、これらが一体となっている。また、本実施の形態の基板ボックス１００は、図１６〜図１７に示すように、略直方体形状の箱状部材である。また、本実施の形態のベース部材２００は、図１４及び図１５に示すように、基板ボックス１００の取付位置２０１をその裏面左側に設けた略板状の部材である。
【００２６】
また、この液晶表示ユニット２３Ｃは、図２３に示すように、ベース部材２００に対して、基板ボックス１００を当該取付位置２０１から、所定方向としての後側斜め方向Ｐに回動させながらスライド移動させることで、基板ボックス１００とベース部材２００との係合状態を解除することができ、これにより、当該ベース部材２００から基板ボックス１００が取外し可能に構成されている。
【００２７】
また、基板ボックス１００に収納された表示サブ制御基板１０１には、図１０に示すように、その下方端部付近に、表示装置２０に備えられた基板（図示省略）と電気的に繋がる電気配線Ｓが接続されている。より詳しくは、図１２及び図１３に示すように、電気配線Ｓはフラットなフレキシブルケーブルであり、所定の柔軟性を有している。また、電気配線Ｓの表示サブ制御基板１０１側の一端には、図１２に示すように、電気配線側コネクタＳ１が設けられており、この電気配線側コネクタＳ１が、基板ボックス１００の下部に設けられた開口部１０８を介して、表示サブ制御基板１０１の下方端部付近の前記した開口部１０８から臨む位置に設けられたサブ制御基板側コネクタ１０２に着脱可能に接続されるようになっている。また、図示は省略するが、電気配線Ｓの他端である表示装置２０（ベース部材２００側）に備えられた基板側端部にもコネクタが設けられており、当該コネクタが、表示装置２０の基板に設けられた図示しないコネクタに着脱可能に接続されるようになっている。
【００２８】
なお、電気配線Ｓと表示サブ制御基板１０１とのコネクタを介しての接続は、前記したように双方にコネクタＳ１，１０２を有していて当該コネクタＳ１，１０２同士が着脱可能に接続されるものに限らず、電気配線Ｓにはコネクタが設けられておらず、表示サブ制御基板１０１に設けられたコネクタに電気配線Ｓの端部を直接挿入して着脱可能に接続するタイプのものであっても良い。同様に、電気配線Ｓと表示装置２０の基板とのコネクタを介しての接続も、前記したように双方にコネクタを有していて当該コネクタ同士が着脱可能に接続されるものに限らず、電気配線Ｓにはコネクタが設けられておらず、表示装置２０の基板に設けられたコネクタに電気配線Ｓの端部を直接挿入して着脱可能に接続するタイプのものであっても良い。
【００２９】
また、表示サブ制御基板１０１と表示装置２０の基板とを電気配線Ｓ及びコネクタを介して接続する構成としては、電気配線Ｓの一端と一方の基板（制御基板）とが半田等で取外し不可能な状態に接続されており、電気配線Ｓの他端ともう一方の基板（制御基板）とがコネクタを介して取外し可能に接続されているタイプも含むものとする。
【００３０】
また、図５及び図１１に示すように、液晶表示ユニット２０Ｃにおける、電気配線Ｓを覆い、かつ、基板ボックス１００とベース部材２００の双方に係合する位置（ここでは、液晶表示ユニット２０Ｃの下部左側）に、図１８に示すようなロック手段としての規制部材３００を備えている。この規制部材３００は、作業者が操作片を動かすことで、ベース部材２００に対する基板ボックス１００の取外しを許容する許容状態と取外しを規制する規制状態とに状態変化するものである。ここでは、規制部材３００が、基板ボックス１００とベース部材２００の双方の所定位置に係合することで、基板ボックス１００をベース部材２００から取り外そうとしても、取り外すために必要な後側斜め方向Ｐ（図２３）への移動を規制して取外しを規制する規制状態とし、規制部材３００を基板ボックス１００とベース部材２００から取り外して双方との係合を解くことで取外しを許容する許容状態とするものである。なお、この規制部材３００には、操作片として特別な部位は設けられておらず、規制部材３００自体が操作片となっているが、ロック手段を操作する操作片を有していても良い。その場合、操作片がロック手段と別の箇所に設けられており、リンク部材等で繋がっている構造となっていても良い。
【００３１】
また、図１０に示すように、規制部材（操作片）３００を基板ボックス１００とベース部材２００に取り付けて、当該規制部材（ロック手段）３００を規制状態としたときには、規制部材（操作片）３００で被覆される、すなわち、サブ制御基板側コネクタ１０２へのアクセス経路を遮断することで作業者によるサブ制御基板側コネクタ１０２の着脱を困難にする位置で、かつ、図１２及び図１３に示すように、規制部材（操作片）３００を基板ボックス１００とベース部材２００から取り外して、当該規制部材（ロック手段）３００を許容状態としたときには、規制部材（操作片）３００で被覆されずに露出する、すなわち、サブ制御基板側コネクタ１０２へのアクセス経路を開放することで作業者によるサブ制御基板側コネクタ１０２の着脱を容易にする位置に、電気配線側コネクタＳ１とサブ制御基板側コネクタ１０２の着脱を行う作業部Ｚが設けられている。ここでは、作業部Ｚは、サブ制御基板側コネクタ１０２が配置された空間であり、これがサブ制御基板側コネクタ１０２へのアクセス経路となっている。
【００３２】
また、この規制部材３００は、無色透明なアクリル等の部材に形成された基板ボックス１００とベース部材２００に対して、赤色等の目立つ色に着色されたアクリル等の部材で形成されている。これにより、規制部材３００をより目立たせることができ、基板ボックス１００をベース部材２００から取り外す前に、先に規制部材３００を取り外す必要があることを作業者に知らせることができる。また、このような有色で内部の様子が見難い規制部材３００が、電気配線Ｓを覆う位置に設けられていることで、規制部材３００を取り外したときに、それまで見えていなかった（見難い状態だった）電気配線Ｓが現れることとなり、これにより、基板ボックス１００をベース部材２００から取り外す前に、電気配線Ｓの接続を解除しないといけない、ということを遊技者により強く印象付けることができるものである。
【００３３】
以下、液晶表示ユニット２０Ｃにおけるベース部材２００に対する基板ボックス１００の取付状態と、基板ボックス１００及びベース部材２００に対する規制部材３００の係合状態について、詳細に説明する。
【００３４】
図１４及び図１５に示すように、ベース部材２００には、その上部に、ベース側第一係合部２０２が設けられており、ベース部材２００の下部には、右側にベース側第二係合部２０３と左側にベース側第三係合部２０４が設けられている。このうち、ベース側第一係合部２０２は、遊技機１の後方に向けて空いた略方形状の凹部であり、ここに後述する基板ボックス１００の基板側第一係合部１０３が係合するようになっている。また、ベース側第二係合部２０３とベース側第三係合部２０４は、遊技機１の後方に延びる所定高さの立壁の上部に遊技機１の上方に延びるフランジ状部材が形成されたものであり、このベース側第二係合部２０３とベース側第三係合部２０４のフランジ状部材と立壁で囲まれる位置に、後述する基板ボックス１００の基板側第二係合部１０４と基板側第三係合部１０５が係合するようになっている。
【００３５】
また、ベース部材２００の下部における前記したベース側第三係合部２０４の右側近傍でさらに下方位置（ここではベース部材２００の下端）には、ベース側第四係合部２０５が設けられている。このベース側第四係合部２０５は、遊技機１の後方に突出し、かつ、遊技機１の左右方向と略平行な板状部材であり、後述する規制部材３００の規制側第一係合部３０１が係合するようになっている。
【００３６】
また、図１６及び図１７に示すように、基板ボックス１００には、その上部に、基板側第一係合部１０３が設けられており、基板ボックス１００の下部には、右側に基板側第二係合部１０４と左側に基板側第三係合部１０５が設けられている。このうち、基板側第一係合部１０３は、遊技機１の前方に向けて凸形状となった側面視略Ｖ字状の部材であり、これを前記したベース部材２００のベース側第一係合部２０２の凹部に嵌入させることで双方が係合するようになっている。また、基板側第二係合部１０４と基板側第三係合部１０５は、遊技機１の上下方向に略平行な平板部であり、基板ボックス１００をベース部材２００における取付位置２０１に配置した際に、この基板側第二係合部１０４と基板側第三係合部１０５が、前記したベース部材２００のベース側第二係合部２０３とベース側第三係合部２０４と摺動する程度の遊技機１の前側に位置するように構成されている。
【００３７】
また、基板ボックス１００の下部における基板側第二係合部１０４と基板側第三係合部１０５の間には、基板側第四係合部１０６と基板側第六係合部１０９が設けられている。さらに、基板ボックス１００の下部における基板側第三係合部１０５のすぐ上方には、基板側第五係合部１０７が設けられている。この基板側第四係合部１０６と基板側第五係合部１０７は、遊技機１の後方に突出し、かつ、互いに向き合う方向に裏面視略Ｌ字状に形成された部材となっている。また、基板側第六係合部１０９は、図１０に示すように、下方に鍵状に突出した部材であり、後述する規制部材３００の規制側第四係合部３０４に引っ掛けて係合するものである。そして、この基板側第四係合部１０６と基板側第五係合部１０７の上方に、後述する規制部材３００の規制側第二係合部３０２と規制側第三係合部３０３を挿入し、さらに基板側第六係合部１０９を規制側第四係合部３０４に引っ掛けることで、基板ボックス１００に規制部材を固定するようになっている。
【００３８】
また、図１８に示すように、規制部材３００には、その下部に規制側第一係合部３０１が設けられている。この規制側第一係合部３０１は、図１０に示すように、遊技機１の後方から前方に向けて延びる板状部材であり、前記したベース側第四係合部２０５と係合したときに、当該ベース側第四係合部２０５がその上方に位置するように構成されている。また、規制側第一係合部３０１の上部の左右側に、図２１及び図２２に示すように、規制側第二係合部３０２と規制側第三係合部３０３が設けられている。この規制側第二係合部３０２と規制側第三係合部３０３は、左右の外側に向けて延びる遊技機１の前後方向に長尺な突出部材である。この規制側第二係合部３０２と規制側第三係合部３０３は、前記した基板側第四係合部１０６と基板側第五係合部１０７の溝部に後方から嵌入されるような位置及び大きさに形成されている。
【００３９】
さらに、この規制側第二係合部３０２と規制側第三係合部３０３の間には、図１９及び図２０に示すように、規制側第四係合部３０４が設けられている。この規制側第四係合部３０４は、後方に向けて突出した板状部材であり、前記した基板側第六係合部１０９がその後端に引っ掛かるようになっている。
【００４０】
そして、ベース側第四係合部２０５に規制側第一係合部３０１が係合し、基板側第四係合部１０６と基板側第五係合部１０７の上方に規制側第二係合部３０２と規制側第三係合部３０３を挿入し、基板側第六係合部１０９を規制側第四係合部３０４に引っ掛けることで、規制部材３００によって、ベース部材２００に対する基板ボックス１００の取外しを規制する規制状態となる。
【００４１】
次に、本実施の形態の液晶表示ユニット２０Ｃにおいて、ベース部材２００から基板ボックス１００を取り外すときの手順について説明する。
【００４２】
まず、図８及び図１１に示すような規制部材３００が基板ボックス１００とベース部材２００の双方の下方端部付近に係合した状態から、目立つ色に着色された規制部材３００における規制側第四係合部３０４と基板側第六係合部１０９との係合（引っ掛け）を解除した後に、規制側第一係合部３０１と規制側第二係合部３０２と規制側第三係合部３０３を、それぞれベース部材２００のベース側第四係合部２０５と基板ボックス１００の基板側第四係合部１０６と基板側第五係合部１０７から引き抜き、図１２及び図１３に示すように、規制部材３００を基板ボックス１００とベース部材２００から取り外す。この規制部材３００を取り外すことで、図１２及び図１３に示すように、操作片としての規制部材３００に覆われていた電気配線Ｓ及び当該電気配線Ｓの電気配線側コネクタＳ１とサブ基板側コネクタ１０２の着脱を行う作業部Ｚが露出する。すなわち、サブ制御基板側コネクタ１０２へのアクセス経路を開放することで、作業者によるサブ制御基板側コネクタ１０２の着脱を容易にする状態となる。また、同時に、基板ボックス１００をベース部材２００に対して、後側に回動させつつ後方斜め上方Ｐにスライド移動させることができる状態、すなわち、ベース部材２００に対する基板ボックス１００の取外しを許容する許容状態となる。
【００４３】
次に、規制部材３００を取り外したことで露出した電気配線Ｓの図１０及び図１２に示すような電気配線側コネクタＳ１を、基板ボックス１００の開口部１０８を介して、基板側コネクタ１０２から引き抜き、基板ボックス１００と電気配線Ｓとの接続を解除する。これにより、基板ボックス１００をベース部材２００から取り外しても、電気配線ＳやコネクタＳ１，１０２に損傷を与えることがなくなる。
【００４４】
その後、図２３に示すように、基板ボックス１００の基板側第一係合部１０３をベース部材２００のベース側第一係合部２０２から外した上で、基板ボックス１００を後方に回動させつつ後側斜め上方Ｐにスライド移動させることで、図１６及び図１７に示す基板側第二係合部１０４及び基板側第三係合部１０５と、図１４及び図１５に示すベース側第二係合部２０３及びベース側第三係合部２０４との係合を解除しつつ、基板ボックス１００をベース部材２００から取り外すことができる。
【００４５】
また、規制部材３００が取り付けられた状態で、基板ボックス１００をベース部材２００から取り外そうとしても、規制部材３００の規制側第一係合部３０１がベース側第四係合部２０５の下方に位置しており、さらに規制側第二係合部３０２と規制側第三係合部３０３が基板側第四係合部１０６と基板側第五係合部１０７に嵌入しているため、基板側第一係合部１０３をベース側第一係合部２０２から外して基板ボックス１００をスライド移動させようとしても、規制部材３００が後側斜め上方Ｐへの移動を規制している、すなわち、ベース部材２００に対する基板ボックス１００の取外しを規制する規制状態となっているため、取り外すことができない。なお、このときには、作業部Ｚが規制部材３００で被覆されており、サブ制御基板側コネクタ１０２へのアクセス経路を遮断することで作業者によるサブ制御基板側コネクタ１０２の着脱を困難にする状態となっている。
【００４６】
また、目立つ色の規制部材３００を取り外したときに、丁度その箇所に配置された電気配線Ｓが露出するため、その後、電気配線Ｓとの接続を解除することを忘れないように作業者が気付き易い状態にすることができる。
【００４７】
また、本実施の形態では、電気配線Ｓとしてフラットなフレキシブルケーブルを用いており、基板側コネクタ１０２が下向き（表示サブ制御基板１０１の配置方向に対して略平行）に配置されている。そのため、電気配線Ｓの電気配線側コネクタＳ１を表示サブ制御基板１０１と略平行に取り外す必要があるが、このようにコネクタが制御基板と略平行な向きに設けられている場合、無理な引っ張りに対して特に弱いため、規制部材３００で電気配線Ｓとの接続を解除することを気付き易くさせることが特に重要となっている。
【００４８】
以上のように、本実施の形態のパチンコ遊技機（遊技機）１は、遊技を制御する表示サブ制御基板（制御基板）１０１を収納する基板ボックス１００と、前記基板ボックス１００を前記表示装置２０側に対して着脱可能に取り付けるためのベース部材２００と、前記表示サブ制御基板（制御基板）１０１と前記表示装置２０（ベース部材２００側）に備えられた基板とを着脱可能な電気配線側コネクタＳ１（コネクタ）とサブ制御基板側コネクタ１０２（コネクタ）を介して接続する電気配線Ｓと、前記ベース部材２００に対する前記基板ボックス１００の取外しを許容する許容状態と取外しを規制する規制状態とに状態変化する規制部材（ロック手段）３００とを備え、前記規制部材（ロック手段）３００には、許容状態と規制状態との状態変化を行うときに作業者が動かす操作片（規制部材３００自体）を備えており、前記操作片（規制部材３００自体）は、前記規制部材（ロック手段）３００を規制状態としたときには前記操作片（規制部材３００自体）で被覆されてサブ制御基板側コネクタ（コネクタ）１０２へのアクセス経路を遮断することで作業者によるサブ制御基板側コネクタ（コネクタ）１０２の着脱を困難にすると共に、前記規制部材（ロック手段）３００を許容状態としたときには前記操作片（規制部材３００自体）で被覆されずに露出してサブ制御基板側コネクタ（コネクタ）１０２へのアクセス経路を開放することで作業者によるサブ制御基板側コネクタ（コネクタ）１０２の着脱を容易にするように構成されており、操作片（規制部材３００自体）の動きで露出する位置に、前記表示サブ制御基板（制御基板）１０１と前記電気配線Ｓとの間の前記電気配線側コネクタＳ１（コネクタ）と前記サブ制御基板側コネクタ１０２（コネクタ）の着脱を行う作業部Ｚが設けられているパチンコ遊技機（遊技機）１としたことを特徴とする。
【００４９】
そして、本実施の形態によれば、基板ボックス１００及びベース部材２００に係合してベース部材２００に対する基板ボックス１００の取外しを許容する許容状態と取外しを規制する規制状態とに状態変化する規制部材（ロック手段）３００により、基板ボックス１００が取外し可能となる斜め後方の上方（所定方向）Ｐに移動することを規制した規制状態となっていることで、基板ボックス１００を取り外すときに、先に規制部材３００を取り外す（許容状態とする）必要があり、さらに、操作片（規制部材３００自体）を動かして規制部材（ロック手段）３００を規制状態としたときには操作片（規制部材３００自体）で被覆される（コネクタへのアクセス経路を遮断する）と共に、操作片（規制部材３００自体）を動かして規制部材（ロック手段）３００を許容状態としたときには操作片（規制部材３００自体）で被覆されずに露出する（コネクタへのアクセス経路を開放する）位置に、表示サブ制御基板（制御基板）１０１と電気配線Ｓとの間の電気配線側コネクタＳ１（コネクタ）とサブ制御基板側コネクタ１０２（コネクタ）の着脱を行う作業部Ｚが設けられているため、規制部材３００を取り付けた規制状態と比べて、規制部材３００を取り外した許容状態のときに、サブ制御基板側コネクタ（コネクタ）１０２に接続された電気配線側コネクタＳ１の着脱を行う作業部Ｚが現れることで、基板ボックス１００を取り外す前に電気配線Ｓの接続を解除することを作業者に気付き易くさせることができる。
【００５０】
その結果、作業者が、ベース部材２００から基板ボックス１００を取り外すときに、基板ボックス１００に収納された表示サブ制御基板（制御基板）１０１と表示装置２０が電気配線Ｓで接続されていることを忘れてしまい、双方に電気配線Ｓが接続された状態で基板ボックス１００を取り外そうとすることで、電気配線Ｓや当該電気配線Ｓが繋がるコネクタ１０２，Ｓ１等が無理に引っ張られて破損してしまうことを防止して、電気配線Ｓや電気配線Ｓに関わるものを破損し難くすることができる。
【００５１】
なお、前記した実施の形態は、以下のような構成となっていても良い。
遊技において表示装置２０を制御する表示サブ制御基板（制御基板）１０１を内部に有する基板ボックス１００と、
前記基板ボックス１００を前記表示装置２０側に対して着脱可能に取り付けるためのベース部材２００と、
前記表示サブ制御基板（制御基板）１０１と前記表示装置２０とを電気的に接続する電気配線Ｓとを備え、
前記電気配線Ｓは、前記表示サブ制御基板（制御基板）１０１から前記基板ボックス１００の外部に延出された状態となっており、
前記基板ボックス１００は、前記ベース部材に２００おける取付位置２０１から斜め後方の上方（所定方向）Ｐに移動させることで、前記ベース部材２００から取外し可能となっており、
前記電気配線Ｓが前記基板ボックス１００の外部に延出される位置近傍に取り付けられ、前記基板ボックス１００が前記ベース部材２００における取付位置２０１に取り付けられた状態で前記表示サブ制御基板（基板）１０１に接続された前記電気配線Ｓの少なくとも一部を覆うように前記基板ボックス１００と前記ベース部材２００の双方に係合し、当該係合により前記基板ボックス１００が前記斜め後方の上方（所定方向）Ｐに移動することを規制する規制部材３００を備えており、
前記制御基板に接続された前記電気配線が、前記規制部材を取り付けた状態から前記規制部材を取り外したときに現れることを特徴とするパチンコ遊技機（遊技機）１。
［第二の実施の形態］
次に、本発明の第二の実施の形態における遊技機として、パチンコ遊技機を例にして図２４〜図３７を参照しながら説明する。なお、本実施の形態のパチンコ遊技機は、下記の液晶表示ユニット５００と裏ユニット６００に関する構成以外は、前記した第一の実施の形態と同様であるので、同様の構成に同じ符号を付して、説明を省略する。
【００５２】
図２４〜図２６は、本実施の形態におけるパチンコ遊技機の裏ユニットに液晶表示ユニットを取り付けた状態の左後上側からの斜視図，裏面図，Ｃ部拡大図である。図２７〜図３０は、本実施の形態のパチンコ遊技機の液晶表示ユニットの左後上側からの斜視図，正面図，裏面図，上面図である。図３１，図３２は、本実施の形態のパチンコ遊技機の裏ユニットの左後上側からの斜視図，裏面図である。図３３〜図３５は、本実施の形態の裏ユニットから液晶表示ユニットを取り外すときにおける規制部材を開放した状態の左後上側からの斜視図，裏面図，Ｄ部拡大図である。図３６，図３７は、本実施の形態の裏ユニットから液晶表示ユニットを取り外すときにおける液晶表示ユニットを非固定位置に移動させた状態の左後上側からの斜視図，裏面図である。
【００５３】
本実施の形態の遊技盤６は、遊技球が転動する遊技領域６Ａが表面側に形成された遊技板（図２に図示した遊技盤６の外形を成す板状の部材）の裏面側に、図２４及び図２５に示すような、液晶表示ユニット５００が取り付けられた裏ユニット６００が配設された構成となっている。
【００５４】
このうち、液晶表示ユニット５００は本発明の基板ボックスを成すものである。そして、この液晶表示ユニット５００は、図２８に示すような表示装置５１０を有する表示ユニットであり、当該表示装置５１０の裏面側に、図２７，図２９，図３０に示すような略板状の土台部材５２０が配設されており、これらが一体となっている。なお、図示は省略するが、液晶表示ユニット５００の土台部材５２０には、遊技における表示制御に関する制御基板が配置されるようになっている。
【００５５】
また、裏ユニット６００は本発明のベース部材を成すものである。そして、この裏ユニット６００は、遊技演出に応じて可動する可動役物（図示省略）等が配設されると共に前記した液晶表示ユニット５００を着脱可能に取り付けるものであり、図３１及び図３２に示すように、遊技盤６の外形とほぼ同じ外形となっている。また、裏ユニット６００の中央部には、裏面側から前面側に貫通する所定の大きさの貫通穴６０１が形成されており、裏ユニット６００の裏面側における貫通穴６０１の周囲に液晶表示ユニット５００を取り付ける取付部６１０が設けられている。そして、液晶表示ユニット５００を取付部６１０に取り付けて、取付位置としての後述する固定位置（図２４及び図２５に図示する液晶表示ユニット５００の位置）に保持することで、貫通穴６０１の裏面側から表面側に向けて表示装置５１０の表示画面５１０Ａが臨み、遊技盤６の前面側から当該表示画面５１０Ａが視認可能となるように構成されている。
【００５６】
また、本実施の形態では、裏ユニット６００に対して液晶表示ユニット５００を取り付ける際には、まず、液晶表示ユニット５００を、非固定位置（図３６及び図３７に図示する液晶表示ユニット５００の位置）に配置し、その後、当該非固定位置から、取付方向である右方向Ｒに、液晶表示ユニット５００をスライド移動させて、図２４及び図２５に示すような固定位置に位置させ、後述するネジＮ等で固定することで、当該液晶表示ユニット５００を裏ユニット６００と係合状態とすることができるように構成されている。
【００５７】
また逆に、メンテナンスや故障等によって裏ユニット６００から液晶表示ユニット５００を取り外す際には、まず、後述するネジＮ等を外し、液晶表示ユニット５００を、図２４及び図２５に示すような固定位置から、取外方向（所定方向）としての左方向Ｑにスライド移動させて、図３６及び図３７に示すような非固定位置に位置させることで、当該液晶表示ユニット５００を裏ユニット６００との係合状態から解除することができ、液晶表示ユニット５００が取外し可能となるように構成されている。
【００５８】
また、液晶表示ユニット５００の土台部材５２０の内部には、遊技における表示制御に関する制御基板（図示省略）が配置されており、この制御基板に接続する電気配線Ｓ２が、図２７及び図３０に示すように、液晶表示ユニット５００の上方端部から当該液晶表示ユニット５００の外部に延出された状態となっている。そして、この電気配線Ｓ２は、裏ユニット６００の上部に備えられた基板（図示省略）に設けられたコネクタ６０２（図３６及び図３７参照）に着脱可能に接続され、当該コネクタ６０２が配設された基板を介して、他の電気機器（ここでは、図示しない小型の表示装置を備えたサブ液晶表示ユニット）と電気的に繋がるように構成されている。より詳しくは、図２７及び図２８に示すように、電気配線Ｓ２はフラットなフレキシブルケーブルであり、所定の柔軟性を有している。また、電気配線Ｓ２の裏ユニット６００側の一端には、図２７に示すように、複数の導線を露わにした差込部Ｓ３となっており、この差込部Ｓ３が、裏ユニット６００の上部に備えられた基板（図示省略）に設けられたコネクタ６０２に挿入されて双方が着脱可能に接続されるようになっている。なお、図示は省略するが、電気配線Ｓ２における液晶表示ユニット５００側に備えられた端部も裏ユニット６００側と同様に差込部となっており、当該差込部が、液晶表示ユニット５００側の基板に設けられた図示しないコネクタに着脱可能に接続されるようになっている。
【００５９】
なお、電気配線Ｓ２と裏ユニット６００側の基板とのコネクタを介しての接続は、前記したように裏ユニット６００側の基板のみにコネクタ６０２が設けられていて当該コネクタ６０２に電気配線Ｓ２における複数の導線を露わにした差込部Ｓ３が着脱可能に接続されるものに限らず、電気配線Ｓ２と裏ユニット６００側の基板の双方にコネクタを有していて当該コネクタ同士が着脱可能に接続されるタイプのものであっても良い。同様に、電気配線Ｓ２と液晶表示ユニット５００側の基板とのコネクタを介しての接続も、前記したように液晶表示ユニット５００側の基板のみにコネクタが設けられていて当該コネクタに電気配線Ｓ２における複数の導線を露わにした差込部が着脱可能に接続されるものに限らず、電気配線Ｓと液晶表示ユニット５００側の基板の双方にコネクタを有していて当該コネクタ同士が着脱可能に接続されるタイプのものであっても良い。
【００６０】
また、液晶表示ユニット５００側の基板と裏ユニット６００側の基板とを電気配線Ｓ２及びコネクタを介して接続する構成としては、電気配線Ｓ２の一端と一方の基板（制御基板）とが半田等で取外し不可能な状態に接続されており、電気配線Ｓ２の他端ともう一方の基板（制御基板）とがコネクタを介して取外し可能に接続されているタイプも含むものとする。
【００６１】
また、図２４に示すように、裏ユニット６００において、液晶表示ユニット５００から出て裏ユニット６００のコネクタ６０２に繋がれた電気配線Ｓ２を覆い、かつ、液晶表示ユニット５００と裏ユニット６００の双方に係合する位置（ここでは、裏ユニット６００の上部右側）に、図２６に示すようなロック手段としての規制部材７００を備えている。この規制部材７００は、操作片を動かすことで、裏ユニット６００に対する液晶表示ユニット５００の取外しを許容する許容状態と取外しを規制する規制状態とに状態変化するものである。ここでは、規制部材７００が、液晶表示ユニット５００と裏ユニット６００の双方の所定位置に係合することで、液晶表示ユニット５００を裏ユニット６００から取り外そうとしても、取り外す（係合状態を解除する）ために必要な左方向Ｑへの移動を規制して取外しを規制する規制状態とし、規制部材７００を回動させて液晶表示ユニット５００に対する規制を解除することで取外しを許容する許容状態とするものである。なお、この規制部材７００には、操作片として特別な部位は設けられておらず、規制部材７００自体が操作片となっているが、ロック手段を操作する操作片を有していても良い。その場合、操作片がロック手段と別の箇所に設けられており、リンク部材等で繋がっている構造となっていても良い。
【００６２】
また、図２６に示すように、規制部材（操作片）７００を液晶表示ユニット５００と裏ユニット６００に係合させて、当該規制部材（ロック手段）７００を規制状態としたときには、規制部材（操作片）７００で被覆される、すなわち、コネクタ６０２へのアクセス経路を遮断することで作業者によるコネクタ６０２の着脱を困難にする位置で、かつ、図３５に示すように、規制部材（操作片）７００を回動させて、当該規制部材（ロック手段）７００を許容状態としたときには、規制部材（操作片）７００で被覆されずに露出する、すなわち、コネクタ６０２へのアクセス経路を開放することで作業者によるコネクタ６０２の着脱を容易にする位置に、後述する開口部Ｚ２を有している。
【００６３】
なお、本発明における係合とは、厳密な意味での係合以外に、係止又は当接等の接触しているだけで双方が組み付けられてはいない状態及び係止又は当接するかどうかのぎりぎりの状態も含むものとする。
【００６４】
また、この規制部材７００は、例えば黒色や白色、無色等の色で構成された液晶表示ユニット５００と裏ユニット６００に対して、赤色等の目立つ色に着色されたアクリル等の部材で形成されている。これにより、規制部材７００をより目立たせることができ、液晶表示ユニット５００を裏ユニット６００から取り外す前に、先に規制部材７００を取り外す必要があることを作業者に知らせることができる。また、このような有色で内部の様子が見難い規制部材７００が、電気配線Ｓ２を覆う位置に設けられていることで、規制部材７００を取り外したときに、それまで見えていなかった（見難い状態だった）電気配線Ｓ２が現れることとなり、これにより、液晶表示ユニット５００を裏ユニット６００から取り外す前に、電気配線Ｓ２の接続を解除しないといけない、ということを遊技者により強く印象付けることができるものである。
【００６５】
以下、裏ユニット６００に対する液晶表示ユニット５００の取付状態と、液晶表示ユニット５００及び裏ユニット６００に対する規制部材７００の係合状態について、詳細に説明する。
【００６６】
図３１及び図３２に示すように、裏ユニット６００には、その上部及び下部の左右の４箇所に、ネジＮ（図２５参照）を螺合すると共に液晶表示ユニット５００を左右方向ＱＲにスライド移動させる際のガイドとなるボス６０３，６０４，６０５，６０６が裏面側に向けて突出形成されている。また、裏ユニット６００の裏面側の上下位置には、液晶表示ユニット５００を取り付けたり取り外したりする際に、当該液晶表示ユニット５００を前側に押さえた状態で右方向Ｒ及び左方向Ｑにスライド移動させるための被摺動面６０７，６０８，６０９が設けられている。また、裏ユニット６００の裏面側の右側には、ボス６０３，６０４，６０５，６０６にガイドされて被摺動面６０７，６０８，６０９上を非固定位置（図３６及び図３７に図示する液晶表示ユニット５００の位置）から右方向Ｒにスライド移動させた液晶表示ユニット５００の右端の挿入部５３０が挿入されることで、液晶表示ユニット５００が前後方向に移動不可能に係止される係止部６２０が設けられている。この係止部６２０は、平面視で左側が開口となる略コ字状に形成された上下方向に細長い部位であり、液晶表示ユニット５００の右端の挿入部５３０が所定量挿入可能な大きさを有している。また、裏ユニット６００の下部には、前後方向に向かって突出する立壁部６１１が、左右方向に延びるように形成されている。この立壁部６１１は、液晶表示ユニット５００を左右方向にスライド移動させる際に、液晶表示ユニット５００の下面部５４１，５５１（図２７及び図２９参照）を支持し、より安定した状態で摺動させるためのものである。
【００６７】
また、裏ユニット６００の上部右側の所定位置には、挿入部５３０が係止部６２０の一番奥まで挿入されて固定位置（図２４及び図２５に図示する液晶表示ユニット５００の位置）に位置した液晶表示ユニット５００が取外方向である左方向Ｑにスライド移動しないように規制するための規制部材７００が配設されている。この規制部材７００は、上部に設けられた左右方向に延びる軸７０１を介して裏ユニット６００に軸止されて取り付けられており（係合されており）、当該軸７０１を中心に上下方向に回動するようになっている。そして、図２６に示すように、規制部材７００を下方に回動させて規制部材７００を閉じた規制状態では、電気配線Ｓ２及び電気配線Ｓ２の差込部Ｓ３が差し込まれた状態のコネクタ６０２を有する基板が露出するようにされた開口部Ｚ２（図３５）を覆い隠して保護するように構成されている。
【００６８】
本実施の形態では、図２６及び図３５に示すように、裏ユニット６００において規制部材７００が規制状態のときに被覆される位置に所定の開口部Ｚ２が設けられており、当該開口部Ｚ２にコネクタ６０２が露出するように、裏ユニット６００における遊技機の表面側にコネクタ６０２が配設された基板が配置されると共に、裏ユニット６００における遊技機の裏面側に液晶表示ユニット５００が配置されている。そして、この開口部Ｚ２が、電気配線Ｓ２の差込部Ｓ３とコネクタ６０２とを着脱する際に、作業者が手を入れて作業する作業口（作業部、コネクタ６０２へのアクセス経路）となっている。なお、本実施の形態では、裏ユニット６００に対する液晶表示ユニット５００の取外しを規制する規制状態のときに、操作片としての規制部材７００によって、作業口（作業部）である開口部Ｚ２の全部が被覆されるようになっている（図２６に示すように、開口部Ｚ２が全て覆われる）。すなわち、作業口（作業部）である開口部Ｚ２が規制部材７００で被覆されることで、コネクタ６０２へのアクセス経路を遮断して、作業者によるコネクタ６０２の着脱を困難にする状態となっている。
【００６９】
また、規制部材７００を閉じたときに、裏ユニット６００の固定位置（取付位置）に位置している液晶表示ユニット５００の右上部の突出形成部５６０の左側の横壁部５６４に丁度当接する位置に、突出リブ７５０が設けられている。これにより、液晶表示ユニット５００が固定位置（取付位置）に位置しているときに規制部材７００を閉じたときには、突出リブ７５０が液晶表示ユニット５００の横壁部５６４に当接（係合）して液晶表示ユニット５００に対する障害物となり、液晶表示ユニット５００が取外方向である左方向Ｑにスライド移動しないように規制されるようになっている。
【００７０】
このように、本実施の形態では、裏ユニット（ベース部材）６００に軸止された規制部材７００を回動させて、固定位置（取付位置）に位置している液晶表示ユニット（基板ボックス）５００の横壁部５６４に障害物として当接させることで、液晶表示ユニット（基板ボックス）５００が裏ユニット（ベース部材）６００における固定位置（取付位置）に取り付けられた状態で液晶表示ユニット（基板ボックス）５００と裏ユニット（ベース部材）６００の双方に係合し、当該係合により液晶表示ユニット（基板ボックス）５００が取外方向（所定方向）である左方向Ｑに移動することを規制した規制状態となっている。
【００７１】
なお、本実施の形態では、規制部材７００は、裏ユニット（ベース部材）６００に軸止されて取り付けられており、これを回動させて閉じることで、液晶表示ユニット（基板ボックス）５００の横壁部５６４に規制部材７００の一部を当接させるようになっていたが、これに限るものではなく、軸止される部材と当接させる部材が逆になっていても良い。すなわち、規制部材７００は、液晶表示ユニット（基板ボックス）５００に軸止されて取り付けられており、これを回動させて閉じることで、裏ユニット（ベース部材）６００の所定位置に規制部材７００の一部を当接させ、これにより、液晶表示ユニット（基板ボックス）５００が取外方向（所定方向）に移動することを規制した状態となるように構成されていても良い。
【００７２】
また、図３５に示すように、操作片としての規制部材７００を上方に回動させて規制部材７００を開放させた許容状態では、電気配線Ｓ２及び電気配線Ｓ２の差込部Ｓ３が差し込まれた状態のコネクタ６０２とコネクタ６０２と差込部Ｓ３の着脱を行う作業部Ｚ２が現れ、電気配線Ｓ２がコネクタ６０２と接続されていることが容易に確認できる状態となる。すなわち、作業口（作業部）である開口部Ｚ２が規制部材７００で被覆されずに露出されることで、コネクタ６０２へのアクセス経路を開放して、作業者によるコネクタ６０２の抜き差しを容易にする状態となっている。
【００７３】
また、規制部材７００の左端に左方向に突出した細長い段差部７１０が設けられており、この段差部７１０が裏ユニット６００に当接することで、上方から下方に回動してきて閉じた状態となった規制部材７００がそれ以上回動しないように規制するようになっている。
【００７４】
また、裏ユニット６００には、上方から下方に回動してきて閉じた状態となった規制部材７００が、当該閉じた状態から上方に回動しないようにロックするロック部材６３０が、規制部材７００の右側に設けられている。このロック部材６３０は、左右方向に弾性力を有する部材で構成されており、後方から前方に向かって幅広になるストッパ部６３１で規制部材７００の裏面を押さえてロックするように構成されている。また、ロック部材６３０を右方向に弾性変形させることで、ストッパ部６３１を規制部材７００の裏面から退避させてロックを解除することができるようになっている。
【００７５】
また、規制部材７００を回動させる際につまむ操作ツマミ７３０が、規制部材７００の裏面から裏面側に突出するように設けられている。
【００７６】
一方、図２７及び図２８に示すように、液晶表示ユニット５００の左右上下の４箇所には、裏ユニット６００のボス６０３，６０４，６０５，６０６に対応する付近に、当該ボス６０３，６０４，６０５，６０６を挿入して左右方向に摺動させることができる所定長さの摺動溝５４２，５５２，５６２，５７２を有する突出形成部５４０，５５０，５６０，５７０が形成されている。また、突出形成部５４０，５５０，５６０，５７０の摺動溝５４２，５５２，５６２，５７２のうち、挿入部５３０を係止部６２０の一番奥まで挿入して液晶表示ユニット５００を固定位置に位置させたときに、裏ユニット６００のボス６０３，６０４，６０５，６０６と丁度重なる位置には、ネジＮ（図２５参照）を挿通してボス６０３，６０４，６０５，６０６まで貫通させる挿通孔５４３，５５３，５６３，５７３が形成されている。
【００７７】
また、液晶表示ユニット５００の上部の突出形成部５６０，５７０には、裏ユニット６００の被摺動面６０７に対応する位置に、摺動面５６１，５７１が設けられている。また、液晶表示ユニット５００の下部の突出形成部５４０，５５０には、裏ユニット６００の被摺動面６０８，６０９に対応する位置に、摺動面５４１，５５１が設けられている。また、液晶表示ユニット５００の上部の右側の突出形成部５６０における左側の横壁部５６４は、規制部材７００を閉じたときに規制部材７００の突出リブ７５０が当接するストッパとなっている。
【００７８】
次に、本実施の形態の裏ユニット６００から液晶表示ユニット５００を取り外すときの手順について説明する。
【００７９】
まず、液晶表示ユニット５００を裏ユニット６００に固定している４箇所のネジＮ（図２５参照）を、ボス６０３，６０４，６０５，６０６及び挿通孔５４３，５５３，５６３，６７３から取り外す。次に、図２６に示すような、規制部材７００の段差部７１０が裏ユニット６００に当接すると共に、規制部材７００の突出リブ７５０が液晶表示ユニット５００の横壁部５６４に当接する（または当接するかどうかギリギリの位置に位置している）ことで液晶表示ユニット５００の左方向への移動を規制している規制部材７００を、上方に回動させる。これにより、図２４及び図２５に示すような、規制部材７００が裏ユニット６００と液晶表示ユニット５００の双方に係合した規制状態から、図３３及び図３４に示すような、当該係合を解除した状態（開放状態）、すなわち、裏ユニット６００に対する液晶表示ユニット５００の取外しを許容する許容状態にする。なお、このとき、作業口（作業部）である開口部Ｚ２が規制部材７００で被覆されて、コネクタ６０２へのアクセス経路を遮断していた状態（すなわち、作業者によるコネクタ６０２の着脱を困難にする状態）から、作業口（作業部）である開口部Ｚ２が規制部材７００で被覆されずに露出されて、コネクタ６０２へのアクセス経路を開放した状態（すなわち、作業者によるコネクタ６０２の着脱を容易にする状態）となる。
【００８０】
次に、図３５に示すように、規制部材７００を開放状態にしたことで露出した作業部Ｚ２において、電気配線Ｓ２の差込部Ｓ３をコネクタ６０２から引き抜き、裏ユニット６００と電気配線Ｓ２との接続を解除する。これにより、液晶表示ユニット５００を裏ユニット６００から取り外しても、電気配線Ｓ２やコネクタ６０２に損傷を与えることがなくなる。
【００８１】
その後、液晶表示ユニット５００を左方向Ｑにスライド移動させて、挿入部５３０を係止部６２０から引き抜き、液晶表示ユニット５００を固定位置から非固定位置にスライド移動させる。これにより、裏ユニット６００から液晶表示ユニット５００を取り外すことができるものである。
【００８２】
なお、規制部材７００が取り付けられた状態で、液晶表示ユニット５００を裏ユニット６００から取り外そうとしても、裏ユニット６００に取り付けられた規制部材７００の突出リブ７５０が液晶表示ユニット５００の横壁部５６４を規制して左方向Ｑへの移動を規制している、すなわち、裏ユニット６００に対する液晶表示ユニット５００の取外しを規制する規制状態となっているため、取り外すことができない。なお、このときには、作業口（作業部）である開口部Ｚ２が規制部材７００で被覆されており、コネクタ６０２へのアクセス経路を遮断することで作業者によるコネクタ６０２の着脱を困難にする状態となっている。
【００８３】
また、目立つ色の規制部材７００を取り外したときに、丁度その箇所に配置された電気配線Ｓ２が露出するため、その後、電気配線Ｓ２との接続を解除することを忘れないように作業者が気付き易い状態にすることができる。
【００８４】
以上のように、本実施の形態のパチンコ遊技機（遊技機）１は、遊技において表示装置５１０を制御する制御基板を収納する液晶表示ユニット５００（基板ボックス）と、前記液晶表示ユニット５００（基板ボックス）を着脱可能に取り付けるための裏ユニット６００（ベース部材）と、前記表示装置５１０を制御する制御基板と前記裏ユニット６００（ベース部材側）に備えられた基板とを着脱可能な差込部Ｓ３とコネクタ６０２を介して接続する電気配線Ｓ２と、前記裏ユニット６００に対する前記液晶表示ユニット５００の取外しを許容する許容状態と取外しを規制する規制状態とに状態変化する規制部材（ロック手段）７００とを備え、前記規制部材（ロック手段）７００には、許容状態と規制状態との状態変化を行うときに作業者が動かす操作片（規制部材７００自体）を備えており、前記操作片（規制部材７００自体）は、前記規制部材（ロック手段）７００を規制状態としたときには前記操作片（規制部材７００自体）で被覆されてコネクタ６０２へのアクセス経路を遮断することで作業者によるコネクタ６０２の着脱を困難にすると共に、前記規制部材（ロック手段）７００を許容状態としたときには前記操作片（規制部材７００自体）で被覆されずに露出してコネクタ６０２へのアクセス経路を開放することで作業者によるコネクタ６０２の抜着脱を容易にするように構成されており、操作片（規制部材３００自体）の動きで露出する位置に、前記裏ユニット６００（ベース部材側）に備えられた基板と前記電気配線Ｓ２との間の前記コネクタ６０２と前記差込部Ｓ３の着脱を行う作業口（作業部）である開口部Ｚ２が設けられているパチンコ遊技機（遊技機）１としたことを特徴とする。
【００８５】
そして、本実施の形態によれば、液晶表示ユニット５００（基板ボックス）及び裏ユニット６００（ベース部材）に係合して裏ユニット６００に対する液晶表示ユニット５００の取外しを許容する許容状態と取外しを規制する規制状態とに状態変化する規制部材（ロック手段）７００により、液晶表示ユニット５００（基板ボックス）が取外し可能となる左方向（所定方向）Ｑに移動することを規制した規制状態となっていることで、液晶表示ユニット５００（基板ボックス）を取り外すときに、先に規制部材７００を開放状態（許容状態）とする必要があり、さらに、操作片（規制部材７００自体）を動かして規制部材（ロック手段）７００を規制状態としたときには操作片（規制部材７００自体）で被覆される（コネクタへのアクセス経路を遮断する）と共に、操作片（規制部材７００自体）を動かして規制部材（ロック手段）７００を許容状態としたときには操作片（規制部材７００自体）で被覆されずに露出する（コネクタへのアクセス経路を開放する）位置に、裏ユニット６００（ベース部材側）に備えられた基板と電気配線Ｓ２との間のコネクタ６０２と差込部Ｓ３の着脱を行う作業口（作業部）である開口部Ｚ２が設けられているため、規制部材７００を閉じた状態から規制部材３００を開放したときに、コネクタ６０２に接続された差込部Ｓ３の着脱を行う作業口（作業部）である開口部Ｚ２が現れることで、液晶表示ユニット５００（基板ボックス）を取り外す前に電気配線Ｓ２の接続を解除することを作業者に気付き易くさせることができる。
【００８６】
その結果、作業者が、裏ユニット６００（ベース部材）から液晶表示ユニット５００（基板ボックス）を取り外すときに、液晶表示ユニット５００（基板ボックス）に収納された制御基板と裏ユニット６００が電気配線Ｓ２で接続されていることを忘れてしまい、双方に電気配線Ｓ２が接続された状態で液晶表示ユニット５００（基板ボックス）を取り外そうとすることで、電気配線Ｓ２や当該電気配線Ｓ２が繋がるコネクタ６０２等が無理に引っ張られて破損してしまうことを防止して、電気配線Ｓ２や電気配線Ｓ２に関わるものを破損し難くすることができる。
【００８７】
なお、前記した実施の形態は、以下のような構成となっていても良い。
遊技において表示装置５１０を制御する制御基板を内部に有する液晶表示ユニット５００（基板ボックス）と、
前記液晶表示ユニット５００（基板ボックス）を着脱可能に取り付けるための裏ユニット６００（ベース部材）と、
前記液晶表示ユニット５００（基板ボックス）の制御基板と前記裏ユニット６００とを電気的に接続する電気配線Ｓ２とを備え、
前記電気配線Ｓ２は、前記液晶表示ユニット５００（基板ボックス）の制御基板から前記液晶表示ユニット５００（基板ボックス）の外部に延出された状態となっており、
前記液晶表示ユニット５００（基板ボックス）は、前記裏ユニット６００（ベース部材）における固定位置（取付位置）から取外方向である左方向（所定方向）Ｑにスライド移動させることで、前記裏ユニット６００（ベース部材）から取外し可能となっており、
前記電気配線Ｓ２が前記液晶表示ユニット５００（基板ボックス）の外部に延出される位置近傍に取り付けられ、前記液晶表示ユニット５００（基板ボックス）が前記裏ユニット６００（ベース部材）における取付位置に取り付けられた状態で、前記液晶表示ユニット５００（基板ボックス）が前記左方向（所定方向）Ｑに移動して取外し可能となることを規制する規制部材（ロック手段）７００を備えており、
前記液晶表示ユニット５００（基板ボックス）の前記制御基板に接続された前記電気配線Ｓ２が、前記規制部材（ロック手段）７００を規制状態（閉じた状態）から前記規制部材（ロック手段）７００を許容状態（開放した状態）としたときに現れることを特徴とするパチンコ遊技機（遊技機）１。
【００８８】
また、以上説明した実施の形態は、本発明の理解を容易にするために記載されたものであって、本発明を限定するために記載されたものではない。
【００８９】
例えば、前記した実施の形態では、パチンコ遊技機を用いて説明したが、これに限るものではなく、本発明は、パチスロ遊技機や雀球遊技機、アレンジボール等の他の遊技機にも適用可能である。
【００９０】
また、前記した第一の実施の形態では、基板ボックスを後方に回動させつつ斜め上方にスライド移動させることで、ベース部材から基板ボックスを取り外すことができるようになっていたが、これに限るものではなく、第二の実施の形態のように所定方向にスライド移動させるのみでベース部材から基板ボックスを取外し可能な遊技機に本発明の規制部材を適用する等、ベース部材から基板ボックスを取り外す所定方向は適宜の方向で良い。
【００９１】
また、前記した第一の実施の形態では、表示サブ制御基板を収納した基板ボックスがベース部材から取外し可能にされた箇所に、本発明の規制部材を適用したが、これに限るものではなく、メイン制御基板や他のサブ制御基板等の各種制御基板を収納した基板ボックスがベース部材等の遊技機本体から取外し可能となっている箇所に適用可能である。また、第二の実施の形態のように、制御基板を有する液晶表示ユニットのような電気機器が基板ボックスとなって、この電気機器がベース部材としての他の部材（例えば、裏ユニット）から取外し可能にされた箇所に、本発明の規制部材を適用しても良い。
【００９２】
また、電気配線を接続する外部の構成としては、前記した実施の形態のような表示装置に限るものではなく、遊技機に配設された各種の制御基板や電気部品に接続される電気配線に対して、本発明を適用可能である。
【００９３】
また、前記した実施の形態では、制御基板と外部の構成を接続する電気配線としてフラットなフレキシブルケーブルを使用した例について説明したが、これに限るものではなく、電気配線として他の種類のケーブルを使用した場合にも、本発明の規制部材を適用可能である。
【００９４】
また、前記した第一の実施の形態では、基板ボックスに収納された制御基板側のコネクタ同士の接続を解除するようになっていたが、これに限るものではなく、第二の実施の形態のように電気配線Ｓと外部の構成（裏ユニット）とを接続しているコネクタの接続を解除するようになっていても良い。
【００９５】
また、前記した実施の形態では、規制部材は、制御基板と接続された電気配線の一部が作業者から見えなくなる（隠れる）程度に覆っていたが、これに限るものではなく、規制部材を取り付けた状態と比べて、規制部材を取り外したときに、より電気配線が視認できる状態となるものであれば、規制部材が取り付けられた状態で作業者から電気配線が見えるようになっていても良い。
【００９６】
また、ベース部材に対する基板ボックスの取付方法や、基板ボックスとベース部材に対する規制部材の取付方法についても、前記した実施の形態のものに限らず、本発明の作用効果を得られるものであれば、各部材が適宜の取付方法で取り付けられていても良い。例えば、規制部材が第一の実施の形態のように完全に取外し可能なものであっても良いし、規制部材が第二の実施の形態のように開放状態と閉じた状態に回動することで、ある位置から取り外されるようになっているものであっても良い。
【００９７】
また、前記した実施の形態では、規制部材はベース部材や基板ボックスとは異なる部材で構成されていたが、これに限るものではなく、規制部材がベース部材又は基板ボックスと一体に形成されていても良い。例えば、前記した第二の実施の形態の規制部材が、回動する軸部分で裏ユニットと薄肉ヒンジの状態で一体に形成されており、当該薄肉ヒンジによって規制部材が上下方向に回動するようになっていても良い。
【００９８】
また、ベース部材から基板ボックスを取り外す際に、電気配線と基板（制御基板）との間の着脱を行うコネクタは、前記した実施の形態における側とは逆側のコネクタであっても良く、操作片によって被覆及び露出される作業部も、どちらの側のコネクタの着脱を行うための部位であっても良い。さらに、ベース部材から基板ボックスを取り外す際に、制御基板と電気配線との間のコネクタ及びベース部材側に備えられた基板と電気配線との間のコネクタの双方の着脱を行うようになっていても良い。その際には、操作片によって、双方のコネクタの着脱を行うための作業部が被覆及び露出されるようになっている。
【００９９】
また、前記した実施の形態では、規制部材（ロック手段及び操作片）が目立つ色に着色されていたが、これに限るものではなく、ベース部材や基板ボックスと同様の色や、黒色や白色、無色等の目立たない色で構成されていても良い。すなわち、ロック手段によってベース部材から基板ボックスが取り外せない状態となっていれば、作業者は、目立つ色でなくともロック手段の操作片を探して規制状態から許容状態に操作するものである。そして、このとき操作片を目視することで、許容状態となってコネクタの抜き差しを行う作業部が露出した状態が目に入ることで、電気配線の解除を遊技者に気付き易くさせることができるものである。
【０１００】
また、前記した実施の形態では、ロック手段を規制状態から許容状態とした後に、基板ボックスを所定方向に移動させることで、ベース部材から基板ボックスを取り外すことができるようになっていたが、これに限るものではなく、ロック手段を規制状態から許容状態とするだけで、その後に何らかのアクションを起こさなくても、ベース部材から基板ボックスを取り外すことができるようになっていても良い。
【０１０１】
また、本発明における、コネクタの抜き差しを行うと共にロック手段の操作片の動きで被覆されたり被覆されずに露出したりする作業部としては、前記した第一の実施の形態のように、単にコネクタが露出した空間である場合と、前記した第二の実施の形態のように、コネクタの抜き差しを行うために実際に作業者が手を入れることができる開口等である場合とがある。
【０１０２】
また、本発明における電気配線には、信号線を含むものとする。当該信号線には、電気的に信号を伝えるものだけでなく、例えば光ファイバーのような光により信号を伝えるもの等、電気的でないもので信号を伝えるものも含むものである。
【符号の説明】
【０１０３】
１…パチンコ遊技機（遊技機）、１００…基板ボックス、１０１…表示サブ制御基板（制御基板）、１０２…サブ制御基板側コネクタ（コネクタ）、２００…ベース部材、３００…規制部材（ロック手段、操作片）、５００…液晶表示ユニット（基板ボックス）、６００…裏ユニット（ベース部材）、６０２…コネクタ、７００…規制部材（ロック手段、操作片）、Ｓ…電気配線、Ｓ１…電気配線側コネクタ（コネクタ）、Ｓ２…電気配線、Ｚ…作業部、Ｚ２…作業部
【図１】
2015062653.tif 000003
【図２】
2015062653.tif 000004
【図３】
2015062653.tif 000005
【図４】
2015062653.tif 000006
【図５】
2015062653.tif 000007
【図６】
2015062653.tif 000008
【図７】
2015062653.tif 000009
【図８】
2015062653.tif 000010
【図９】
2015062653.tif 000011
【図１０】
2015062653.tif 000012
【図１１】
2015062653.tif 000013
【図１２】
2015062653.tif 000014
【図１３】
2015062653.tif 000015
【図１４】
2015062653.tif 000016
【図１５】
2015062653.tif 000017
【図１６】
2015062653.tif 000018
【図１７】
2015062653.tif 000019
【図１８】
2015062653.tif 000020
【図１９】
2015062653.tif 000021
【図２０】
2015062653.tif 000022
【図２１】
2015062653.tif 000023
【図２２】
2015062653.tif 000024
【図２３】
2015062653.tif 000025
【図２４】
2015062653.tif 000026
【図２５】
2015062653.tif 000027
【図２６】
2015062653.tif 000028
【図２７】
2015062653.tif 000029
【図２８】
2015062653.tif 000030
【図２９】
2015062653.tif 000031
【図３０】
2015062653.tif 000032
【図３１】
2015062653.tif 000033
【図３２】
2015062653.tif 000034
【図３３】
2015062653.tif 000035
【図３４】
2015062653.tif 000036
【図３５】
2015062653.tif 000037
【図３６】
2015062653.tif 000038
【図３７】
2015062653.tif 000039